(57)【特許請求の範囲】
【請求項１】
直管型ランプの管軸に沿って延びて内部に当該直管型ランプを収めたランプユニットを内蔵し、端面から前記管軸の方向に前記ランプユニットを引き出して交換可能な照射装置に用いられるランプ交換台であって、
前記端面の外側に配置され、前記端面から引き出されたランプユニットを支持しながら案内するガイドレールと、
前記ランプユニットの管軸の方向に前記ガイドレールの延在方向が合うように前記ガイドレールを揺動可能に保持する揺動ユニットと、
を備えることを特徴とするランプ交換台。
【請求項２】
前記直管型ランプの上側を反射鏡で覆った前記ランプユニットを上下反転させる反転ユニットを備えたことを特徴とする請求項１に記載のランプ交換台。
【請求項３】
前記照射装置が置かれた設置面の所定位置に設けられた位置決めガイドに係合され、
前記ガイドレールを前記照射装置の筐体の側面に対して位置決めする合いマークを備えたことを特徴とする請求項１または２に記載のランプ交換台。
【発明の詳細な説明】
【技術分野】
【０００１】
本発明は、照射装置に内蔵された直管型ランプを交換する際に用いるランプ交換台に関する。
【背景技術】
【０００２】
従来、配向膜、或いは配向層に偏光光を照射することで配向する光配向と呼ばれる技術が知られており、この光配向は、液晶表示パネルの液晶表示素子が備える液晶配向膜の配向等に広く応用されている。
光配向に用いる紫外線照射装置は、一般に帯状の長い光配向膜の光配向を可能にするために、光源を長尺の直管型紫外線ランプとしている。この、長尺の直管型紫外線ランプは、一般的に、ランプの管軸方向に沿って延び、光配向対象物に反射光を照射するシリンドリカル凹面反射鏡とともに筐体内に収められている。そして、この筐体内に直管型紫外線ランプと反射鏡とを備えたランプユニットは、ランプ交換等のメンテナンスを行うために、紫外線照射装置の端面から引き出し可能に構成されている（例えば、特許文献１参照）。
【先行技術文献】
【特許文献】
【０００３】
【特許文献１】特開平０６−０９６６１０号公報
【発明の概要】
【発明が解決しようとする課題】
【０００４】
しかしながら、長尺の直管型ランプを内蔵したランプユニットを照射装置の外部に引き出す際には、複数人の作業者でランプユニットを支持しながら引き出す必要があり、作業性が悪かった。
本発明は、上述した従来の技術が有する課題を解消し、効率良く直管型ランプを交換することができるランプ交換台を提供することを目的とする。
【課題を解決するための手段】
【０００５】
上記目的を達成するために、本発明は、直管型ランプの管軸に沿って延びて内部に当該直管型ランプを収めたランプユニットを内蔵し、端面から前記管軸の方向に前記ランプユニットを引き出して交換可能な照射装置に用いられるランプ交換台であって、前記端面の外側に配置され、前記端面から引き出されたランプユニットを支持しながら案内するガイドレールと、前記ランプユニットの管軸の方向に前記ガイドレールの延在方向が合うように前記ガイドレールを揺動可能に保持する揺動ユニットと、を備えることを特徴とする。
【０００６】
また本発明は、上記のランプ交換台において、前記直管型ランプの上側を反射鏡で覆った前記ランプユニットを上下反転させる反転ユニットを備えたことを特徴とする。
【０００７】
また本発明は、上記のランプ交換台において、前記照射装置が置かれた設置面の所定位置に設けられた位置決めガイドに係合され、前記ガイドレールを前記照射装置の筐体の側面に対して位置決めする合いマークを備えたことを特徴とする。
【発明の効果】
【０００８】
本発明によれば、ガイドレールによりランプユニットを支持しながら引き出すことができるとともに、揺動ユニットによりガイドレールの照射装置に対する若干のずれを吸収して、ランプユニットを照射装置にスムーズに着脱することができ、効率良く直管型ランプを交換することができる。
【図面の簡単な説明】
【０００９】
【図１】本発明の実施形態に係るランプ交換台と照射装置とを示す正面図である。
【図２】ランプ交換台の側面図である。
【図３】位置決めガイドと合いマークとの構成を示す図であり、（Ａ）は位置決めガイドに合いマークを係合させる前の状態を示す斜視図、（Ｂ）は位置決めガイドに合いマークを係合させた状態を示す斜視図である。
【図４】照射器とランプユニットとの構成を示す図であり、（Ａ）は側面透視図、（Ｂ）は部分拡大図である。
【図５】ランプユニットを照射器から引き出している状態を模式的に示す図であり、（Ａ）はランプユニットを照射器から引き出している状態を示す模式図、（Ｂ）はランプユニットをランプ交換台に載せて引き出している状態を示す模式図、（Ｃ）は、ランプユニットを照射器から完全に引き出しランプユニットがランプ交換台に載っている状態を示す模式図、（Ｄ）はランプユニットとランプ交換台との構成を示す部分拡大図である。
【図６】ランプ交換台の構成を示す斜視図である。
【図７】揺動ユニットの動作を示す斜視図である。
【図８】反転ユニットの動作を示す図であり、（Ａ）はリフターによりランプユニットを上昇させた状態を示す斜視図、（Ｂ）はランプユニットを反転させた状態を示す斜視図、（Ｃ）はランプユニットの固定機構を示す部分拡大図である。
【図９】照射器からフィルターをランプ交換台を用いて引き出している状態を模式的に示す図であり、（Ａ）はフィルターを照射器から引き出している状態を示す模式図、（Ｂ）はフィルターをランプ交換台に載せて引き出している状態を示す模式図、（Ｃ）は、フィルターを照射器から完全に引き出しフィルターがランプ交換台に載っている状態を示す模式図、（Ｄ）はフィルターとランプ交換台との構成を示す部分拡大図である。
【図１０】幅調整ユニットの構成を示す図であり、（Ａ）はガイドレールにランプユニットを載せる際の幅調整ユニットの構成を示す部分断面図であり、（Ｂ）はガイドレールにフィルターを載せる際の幅調整ユニットの構成を示す部分断面図である。
【発明を実施するための形態】
【００１０】
以下、本発明の実施の形態を、図面を参照しながら説明する。
図１は、本発明を適用した実施形態に係るランプ交換台１の構成を当該ランプ交換台１を用いて直管型ランプ８１を交換する照射装置１００とともに示す図である。
照射装置１００は、例えば、液晶配向膜の配向に用いる紫外線照射装置であり、照射器設置架台１０４と、光照射対象物が載置されるワークステージ（不図示）とを備えている。照射器設置架台１０４は、照射装置１００が設置された設置面３から所定距離離れた上方位置に横架され、照射器９０を内蔵している。照射器９０は、照射装置１００の一端面１０１から引出して、照射器９０に着脱自在に備えられるランプユニット８０を収容している。
【００１１】
ランプユニット８０は、光源たる直管型ランプ８１の管軸Ｘに沿って延び、内部に当該直管型ランプ８１と、反射鏡８３と、を備え、反射鏡８３により集光する偏光光を直下に照射する（図８（Ｂ）参照）。直管型ランプ８１は、放電灯であり、少なくとも光配向対象物の幅と同等以上に延びる直管型（棒状）の紫外線ランプが用いられている。反射鏡８３は、断面楕円形、かつ直管型ランプ８１の管軸Ｘに沿って延びるシリンドリカル凹面反射鏡であり、照射器９０内に設置された状態で、直管型ランプ８１の上側を覆い、直管型ランプ８１の光を集光して、照射器９０の直下に配置された光配向対象物に向けて照射する。ランプユニット８０は、照射装置１００内に内蔵され、当該照射装置１００の一端面１０１から直管型ランプ８１の管軸Ｘ方向にランプユニット８０と一体に引き出して交換可能に設けられている。
【００１２】
ランプ交換台１は、ランプ交換部１０と台車部５０とから構成されている。ランプ交換部１０は、詳細については後述するが、照射装置１００の照射器９０からランプユニット８０を引き出す際に、ランプユニット８０を支持し、かつ、引出方向に沿って案内するガイドレール１１を備えている。
ランプ交換部１０は、台車部５０に固定され、台車部５０と一体に移動可能に構成されている。台車部５０の底面には、複数のキャスター７が取り付けられている。台車部５０は、これらのキャスター７により移動可能に構成される。この構成によれば、ランプ交換台１を、必要に応じて、例えば、直管型ランプ８１の交換時等でランプユニット８０を照射装置１００から引き出す際に、照射装置１００に対して設置することができる。これにより、照射装置１００が複数台ある場合にも、一台のランプ交換台１を用いて、複数台の照射装置１００の直管型ランプ８１の交換等のメンテナンスを行うことができる。
【００１３】
図２は、ランプ交換台１の側面図である。台車部５０には、作業者５が直管型ランプ８１の交換等の作業を行うための足場６が備えられている。作業者５は当該足場６に仮設のステップ２により上って作業を行うことができる。また、台車部５０には、ランプ交換部１０が載置される載置台８が一体に設けられている。
ランプ交換部１０は、載置台８に固定された昇降ユニット４０と、ランプユニット８０を揺動可能に支持する揺動ユニット２０と、を備える。
【００１４】
また、ランプ交換台１には、底面近傍にランプ交換台１を照射装置１００に対して位置合わせする合いマーク６０が設けられている。照射装置１００は、設置面３上に動かないように設置されている。照射装置１００の一端面１０１近傍の設置面３上には、図１及び図３に示すように、位置決めガイド９がねじ９ａで固定されている。位置決めガイド９は、ランプ交換台１の合いマーク６０を、当該位置決めガイド９に対して位置合わせすることで、ランプ交換台１を照射装置１００に対して位置決めできる位置に予め固定されている。
【００１５】
詳述すると、図３（Ａ）に示すように、ランプ交換台１に取り付けられた合いマーク６０は、略Ｌ字状のブラケットの先端６１に、ゴム等の緩衝材料で肉厚の円盤状に形成された係合体６２が、ボルト６３で固定されている。位置決めガイド９は、合いマーク６０の係合体６２が係合する係合溝９ｂを備えている。照射装置１００の直管型ランプ８１を交換する際には、ランプ交換台１を、照射装置１００の近傍まで、キャスター７により移動させ、図３（Ｂ）に示すように、合いマーク６０の係合体６２を、設置面３に固定された位置決めガイド９の係合溝９ｂに係合される。これにより、ランプ交換台１は、照射装置１００に対して位置決めされる。この構成によれば、ランプ交換台１を照射装置１００に対して正確、且つ、容易に位置決めすることができる。ランプ交換台１は、照射装置１００に対して位置決めした後に、キャスター７をストッパー７ａにより固定させることができる。
【００１６】
図４（Ａ）に示すように、ランプユニット８０は、筐体８４内に直管型ランプ８１を収めて、照射器９０内に収容される。照射器９０には、換気用の通気口１１０が設けられている。通気口１１０には、図示は省略するが、照射装置１００の外部に連通する換気ダクトが接続される。通気口１１０は、送風筒１１０Ａと排気筒１１０Ｂとを有する。照射器９０内には、照射装置１００の外に設置された不図示の送風ファンにより、送風筒１１０Ａを介して冷却風が導入され、直管型ランプ８１及びその周辺が直接空冷される。空冷後の冷却風は排気筒１１０Ｂを介して照射装置１００の外に排気される。
【００１７】
筐体８４は、図４（Ｂ）に示すように、一対の側面の上縁に沿って設けられた複数のローラー８８と、上面に設けられたローラー８９と、を備える。照射器９０内には、ランプユニット８０を照射器９０に着脱する際に、ローラー８８，８９が摺動する４本のレール９２が設けられている。ランプユニット８０は、筐体８４の側面に設けられたローラー８８を、上下に平行に並べて設けられた一対のレール９２間を摺動させると共に、筐体８４の上面に設けられたローラー８９を上方のレール９２の側面に沿って摺動させて、照射器９０に着脱自在に備えられる。
また、ランプユニット８０には、筐体８４の両端面に、回転軸８５が設けられ、ランプユニット８０を照射装置１００に引き出し入れする際には、作業者５は、この回転軸８５を掴んで引き出す。
【００１８】
図５は、ランプユニット８０を照射器９０から引き出している状態を模式的に示す図である。なお、図５では、説明の簡略化の為に、照射装置１００の照射器設置架台１０４、及び、ランプ交換台１の台車部５０を不図示としている。
図５（Ａ）に示すように、ランプユニット８０は、照射器９０の一端面（前面）の開口から直管型ランプ８１の管軸Ｘに沿って引出し可能に構成されている。ランプ交換台１のランプ交換部１０には、照射器９０から引き出されたランプユニット８０を支持し、引き出し方向に沿って案内する一対のガイドレール１１，１１が揺動ユニット２０に取り付けられている。
【００１９】
図５（Ｂ）に示すように、照射器９０から引き出されたランプユニット８０は、ランプ交換部１０のガイドレール１１，１１により支持される。図５（Ｄ）に示すように、ランプユニット８０は、筐体８４の側面に設けられたローラー８８がガイドレール１１上に載せられると共に、ランプユニット８０を作業者５が回転軸８５を掴んで引き出すことで、ローラー８８が、ガイドレール１１上を摺動する。これにより、ランプユニット８０は、ガイドレール１１に支持されると共に案内されて、図５（Ｃ）に示すように、照射器９０から引き出される。この構成によれば、作業者５は、ランプユニット８０を、回転軸８５を掴んで引き出し、ガイドレール１１により支持すると共に案内して、簡単に照射装置１００から取り外すことができる。
【００２０】
ランプ交換部１０は、図６に示すように、ガイドレール１１を、昇降ユニット４０により昇降可能に備えるとともに、揺動ユニット２０により揺動可能に備えられている。また、ランプ交換部１０は、ランプユニット８０を反転させる反転ユニット３０を備える。また、詳細については後述するが、ランプ交換部１０は、ガイドレール１１の幅を調整する幅調整ユニット７５を備える。
【００２１】
昇降ユニット４０は、パンタグラフ式リフトから構成され、ランプ交換部１０の延在方向に所定間隔を開けて２つ設けられている。２台の昇降ユニット４０は、機械式であっても、流体作動式であっても良いが、作業者５の操作によって、同期して作動する。つまり、２台の昇降ユニット４０は、昇降させた際に、２台の昇降ユニット４０により支持された揺動ユニット２０の水平が取れるように構成されている。昇降ユニット４０は、底部４１が台車部５０の載置台８に載置され（図２参照）、天部４２に、揺動ユニット２０が配設されている。
【００２２】
揺動ユニット２０は、上板２１Ａと下板２１Ｂとから構成されるセンタリングユニット２１を備える。センタリングユニット２１は、上板２１Ａが下板２１Ｂ上を３６０度自由に、例えば下板２１Ｂの中心から半径５０ｍｍの範囲内で、回動可能に構成されている。センタリングユニット２１の下板２１Ｂは、昇降ユニット４０の天部４２に固定されている。
また、揺動ユニット２０は、ガイドレール１１を支持する支持体２２を備える。支持体２２は、センタリングユニット２１の上板２１Ａに固定された連結板２３と、連結板２３に連結された枠体２４と、枠体２４に取り付けられガイドレール１１を保持する保持部２５と、から構成されている。枠体２４は、ランプ交換部１０の延在方向に延び、連結板２３により連結された一対の梁体２４ａと、梁体２４ａの両端部に設けられ、梁体２４ａに架け渡された端板２４ｂとにより、略四角形の枠状に形成されている。
【００２３】
支持体２２は、センタリングユニット２１により、昇降ユニット４０に対して揺動可能に保持され、図７に示すように、台車部５０に固定された昇降ユニット４０に対して、図中矢印方向に振れるように設けられる。この構成によれば、照射器９０から引き出したランプユニット８０をガイドレール１１で支持し、引出方向に沿って案内させる際に（図５参照）、照射器９０に内蔵されたランプユニット８０の管軸Ｘ方向と、ガイドレール１１の延在方向に若干のずれがある場合でも、揺動ユニット２０によりランプユニット８０を揺動させて当該ずれを吸収することができる。これにより、ランプユニット８０の管軸Ｘの方向にガイドレール１１の延在方向を合わせて、ランプユニット８０を、筐体８４内のレール９２等の部材に接触して摺れることなくスムーズに引き出すことができる。
【００２４】
反転ユニット３０は、図６に示すように、揺動ユニット２０の延在方向の両端部に設けられた一対のリフター３８と、一方のリフター３８の近傍に設けられた昇降用ハンドル３１と、昇降用ハンドル３１の回転によりリフター３８を昇降させるリフト機構３２と、から構成される。リフター３８は、一対の脚部３３と、脚部３３の先端に設けられた座部３６とにより門型に形成される。座部３６は、揺動ユニット２０の端板２４ｂの上方に配設され、当該座部３６により連結された一対の脚部３３は、端板２４ｂを貫通している。また、座部３６には、ランプユニット８０の回転軸８５を受ける軸受３７が凹設される。
【００２５】
反転ユニット３０は、昇降用ハンドル３１が作業者５によって回転されると、リフター３８が上下動する。昇降用ハンドル３１を回転させてリフター３８を上昇させると、図８（Ｂ）に示すように、座部３６の軸受３７にランプユニット８０の回転軸８５が軸支される。そして、リフター３８をさらに上昇させると、ランプユニット８０は、回転軸８５が、リフター３８の座部３６に軸支された状態で持ち上げられ、ガイドレール１１から離脱し、ガイドレール１１の延在方向の両端部に設けられた一対のリフター３８間に架け渡されて保持される。
【００２６】
リフター３８は、上昇させると、脚部３３に設けられたストッパー３５に、端板２４ｂの下面に脚部３３を貫通して設けられた筒状の位置決め部材３４が当接する。作業者５は、位置決め部材３４がストッパー３５に当接するまで昇降用ハンドル３１を回転させることで、リフター３８に保持されたランプユニット８０を所定位置まで上昇させることができる。そして、所定位置まで上昇されたランプユニット８０は、図８（Ｂ）に示すように、ランプ交換部１０に載置したままの状態で、ガイドレール１１と干渉することなく、回転軸８５の周りに、垂直方向に反転（上下反転）させることができる。ランプユニット８０を反転させる際には、両端が軸受３７により軸支されたランプユニット８０の、片方の回転軸８５に、不図示の反転用ハンドルを着脱自在に取り付ける。そして、作業者５は、当該反転用ハンドルを手動で回転させることにより、ランプユニット８０を簡単に反転させることができる。
【００２７】
図８（Ｃ）は、ランプユニット８０を図８（Ａ）中の矢印Ｃ方向から視た部分拡大図である。ランプユニット８０の回転軸８５には、図８（Ｃ）に示すように、ランプユニット８０の回転を固定するピン３９が挿入される貫通孔（不図示）が設けられている。また、反転ユニット３０のリフター３８には、座部３６の軸受３７内に、ピン３９が挿入されるピン穴３７ａが形成されている。作業者５は、両端が軸受３７により軸支されたランプユニット８０を反転させた後、ピン３９を回転軸８５の貫通孔及び、軸受３７のピン穴３７ａに挿入することで、ランプユニット８０が回転しないように規制することができる。
【００２８】
ランプユニット８０は、下面が開口する箱形の筐体８４内に直管型ランプ８１と反射鏡８３とを収め、照射器９０内に収められた状態で下方に開口する照射開口８２を備えている。筐体８４は、ステンレス等の剛性を有する金属製材料から構成される。直管型ランプ８１は、直管型ランプ８１の管軸Ｘに沿って直管型ランプ８１を囲繞するように設けられた反射鏡８３と一体にランプユニット８０に取り付けられている。このように、ランプユニット８０を照射装置１００からランプ交換台１上に取り出した際には、ランプユニット８０の照射開口８２は、下方に開口している。本実施形態では、上述したように、ランプユニット８０をランプ交換部１０に載置したままの状態で容易に反転させて、ランプユニット８０の照射開口８２を、図８（Ｂ）に示すように、上方に開口させることができる。そして、ランプ交換部１０上で反転されたランプユニット８０をピン３９により規制して、ランプユニット８０の直管型ランプ８１を、上方に開口した照射開口８２から容易に取り外して、交換することができる。
【００２９】
また、ランプ交換台１は、図９に示すように、照射器９０内に取り付けられたフィルターユニット７０を交換する際にも好適に用いることができる。フィルターユニット７０は、光源である直管型ランプ８１の直下に配置され、ランプユニット８０から照射される照射光の波長を調整する光学フィルターを備える。当該フィルターユニット７０は、紫外線ランプの紫外線により光学フィルターが劣化して透過率が低下することから、新品と交換する必要が生じる。フィルターユニット７０は、直管型ランプ８１の管軸Ｘ方向に延在する長尺形状である。ランプ交換台１は、上述したように、ランプ交換部１０の高さが、昇降ユニット４０により調整可能である。
【００３０】
フィルターユニット７０の交換時には、まず、作業者５は、昇降ユニット４０によりランプ交換部１０の高さを調整して、ガイドレール１１を、照射器９０から引き出されたフィルターユニット７０を支持して引き出し方向に沿って案内することができる高さにする。次に、図９（Ａ）に示すように、フィルターユニット７０を照射器９０から引き出す。そして、照射器９０から引き出されたフィルターユニット７０を、ランプ交換台１のランプ交換部１０に設けられたガイドレール１１に支持させ、引き出し方向に沿って案内させて引き出す（図９（Ｂ）参照）。
【００３１】
ランプ交換部１０は、図１０に示すように、一対のガイドレール１１，１１間の幅を調整する幅調整ユニット７５を備える。幅調整ユニット７５は、保持部２５により揺動ユニット２０に固定された一対のねじ軸（台形ねじ）７６と、各ねじ軸７６に摺動可能に設けられた摺動ナット７７と、ねじ軸７６を回転させて摺動ナット７７を摺動させる幅調整用ハンドル７８と、摺動ナット７７の摺動範囲を規制するストッパー７９とを備えて構成される。一対のねじ軸７６，７６は、不図示のタイミングベルトで繋がれ、幅調整用ハンドル７８により互いに同期して回転するように構成されている。幅調整用ハンドル７８によりねじ軸７６を回転させると、一対の摺動ナット７７が、ランプ交換部１０の中心Ｃに対して互いに離れる方向、或いは、近づく方向にねじ軸７６上を摺動して移動する。ガイドレール１１は、摺動ナット７７に固定され、摺動ナット７７と一体に移動するように構成される。これにより、ガイドレール１１間の幅は、幅調整ユニット７５の幅調整用ハンドル７８により調整可能に構成される。
【００３２】
図１０（Ａ）に示すように、幅調整用ハンドル７８によりねじ軸７６，７６を回転させて、摺動ナット７７をランプ交換部１０の中心Ｃに対して互いに近づく方向に移動させ、摺動ナット７７をストッパー７９に突き当てると、ガイドレール１１間の幅が所定の幅に設定される。このときのガイドレール１１間の幅は、ランプユニット８０の幅に対応する幅に設定されている。
一方、図１０（Ｂ）に示すように、幅調整用ハンドル７８によりねじ軸７６，７６を回転させて、摺動ナット７７をランプ交換部１０の中心Ｃに対して互いに離れる方向に移動させ、摺動ナット７７を保持部２５に突き当てると、ガイドレール１１間の幅が所定の幅に設定される。このときのガイドレール１１間の幅は、フィルター７０の幅に対応する幅に設定されている。
このように、ランプ交換部１０は、幅調整ユニット７５によりガイドレール１１間の幅を調整可能に構成され、ガイドレール１１間の幅を適宜に調整することで、ランプユニット８０、或いは、フィルター７０を交換する際に用いることができる。
【００３３】
フィルターユニット７０は、図９（Ｄ）に示すように、側面に複数のローラー７１を備えている構成でも良く、当該ローラー７１がガイドレール１１上を摺動することで、容易に引き出すことができる構成でも良い。照射器９０から完全に引き出されたフィルターユニット７０は、図９（Ｃ）に示すように、ガイドレール１１に支持されて、ランプ交換部１０上に載置される。
【００３４】
以上説明したように、本発明を適用した実施形態によれば、直管型ランプ８１の管軸Ｘに沿って延びて内部に当該直管型ランプ８１を収めたランプユニット８０を内蔵し、端面１０１から管軸Ｘの方向にランプユニット８０を引き出して交換可能な照射装置１００に用いられるランプ交換台１であって、端面１０１の外側に配置され、端面１０１から引き出されたランプユニット８０を支持しながら案内するガイドレール１１と、ランプユニット８０の管軸Ｘの方向にガイドレール１１の延在方向が合うようにガイドレール１１を揺動可能に保持する揺動ユニット２０と、を備える。この構成によれば、ガイドレール１１によりランプユニット８０を支持しながら照射装置１００から引き出すことができる。これにより、ランプユニット８０の照射装置１００への着脱を１人の作業者５で容易に行うことができ、直管型ランプ８１の交換作業の効率を向上することができる。また、揺動ユニット２０により、ガイドレール１１の照射装置１００に対する若干のずれを吸収して、ランプユニット８０を照射装置１００にスムーズに着脱することができる。よって、ランプユニット８０を作業効率良く照射装置１００から引き出して、直管型ランプ８１の交換を容易に行うことができる。
【００３５】
また、ランプ交換台１は、直管型ランプ８１の上側を反射鏡８３で覆ったランプユニット８０を上下反転させる反転ユニット３０を備えた。これにより、ランプ交換台１上で、ランプユニット８０を反転させて、ランプユニット８０の照射開口８２を上方に向けることができ、当該照射開口８２から容易に直管型ランプ８１を着脱させて交換することができる。
【００３６】
また、ランプ交換台１は、照射装置１００が置かれた設置面３の所定位置に設けられた位置決めガイド９に係合され、ガイドレール１１を照射装置１００に対して位置決めする合いマーク６０を備えた。これにより、ランプ交換台１を必要な時、例えば、直管型ランプ８１を交換する際、に照射装置１００に対して正確に、且つ、容易に位置決めすることができる。よって、直管型ランプ８１の交換作業の作業効率を向上することができる。
【符号の説明】
【００３７】
１  ランプ交換台
３  設置面
９  位置決めガイド
１０  ランプ交換部
１１  ガイドレール
２０  揺動ユニット
３０  反転ユニット
６０  合いマーク
８０  ランプユニット
８１  直管型ランプ
８４  筐体
１００  照射装置
１０１  端面
Ｘ  管軸
【図１】
0005533974.tif 000002
【図２】
0005533974.tif 000003
【図３】
0005533974.tif 000004
【図４】
0005533974.tif 000005
【図５】
0005533974.tif 000006
【図６】
0005533974.tif 000007
【図７】
0005533974.tif 000008
【図８】
0005533974.tif 000009
【図９】
0005533974.tif 000010
【図１０】
0005533974.tif 000011